(57)【要約】【課題】回路基板に取り付けられたときに、変位を調整し易い電気コネクタを提供すること。【解決手段】本考案による回路基板に取り付ける電気コネクタは、複数の端子槽が形成される絶縁本体と、絶縁本体の端子槽に収納される複数の導電端子と、を備える。前記各導電端子は、相手部と、相手部に連接される主体部と、主体部から延在するＳ字状の弾力部と、弾力部から突出する実装部と、を含む。【選択図】図４
0003122168.tif 000002
【実用新案登録請求の範囲】
【請求項１】
電気コネクタであって、
複数の端子槽が形成される絶縁本体と、
絶縁本体の端子槽に収納される複数の導電端子と、
を備え、前記各導電端子は、相手部と、相手部に連接される主体部と、主体部から延在する弾力部と、弾力部から突出する実装部と、を含むことを特徴とする電気コネクタ。
【請求項２】
前記導電端子の相手部は、上向きに突出する接触部と、接触部から延在して主体部を連接する可撓部と、を有することを特徴とする、請求項１に記載の電気コネクタ。
【請求項３】
電気コネクタは、絶縁本体に取り付けられる定位部を有し、該定位部には、複数の第２貫通槽が形成され、複数の導電端子の実装部が、第２貫通槽を貫通して下向きに突出し、各実装部と対応する第２貫通槽の間には、所定の隙間を含むことを特徴とする、請求項１或いは請求項２に記載の電気コネクタ。
【請求項４】
前記定位部は、板状部と、板状部の対向する両側から延在する複数の係合部と、を有し、絶縁本体には、端子槽を貫通する開口が形成され、開口の対向する両側には、複数の係合槽が形成され、定位部の板状部と係合部は、それぞれ絶縁本体の開口と係合槽に係合されることを特徴とする、請求項３に記載の電気コネクタ。
【請求項５】
前記弾力部は、Ｓ字状に形成され、互いに連接する第１、第２折り曲げ部を有し、第１折り曲げ部が、主体部から延在し、第２折り曲げ部が、実装部を連接することを特徴とする、請求項４に記載の電気コネクタ。
【請求項６】
前記導電端子の主体部は、板状であり、弾力部が主体部の下に位置し、可撓部が主体部の上に位置することを特徴とする、請求項５に記載の電気コネクタ。
【請求項７】
前記可撓部は、互いに連続する三つのＵ形の第３折り曲げ部から形成されることを特徴とする、請求項６に記載の電気コネクタ。
【請求項８】
前記絶縁本体は、複数の第１貫通槽が形成される頂壁を含み、複数の導電端子の接触部が第１貫通槽から上向きに突出し、接触部と実装部が頂壁に対して直角に延在することを特徴とする、請求項７に記載の電気コネクタ。
【請求項９】
前記挿入される導電端子は、横方向に沿って互いに交差することを特徴とする、請求項８に記載の電気コネクタ。
【請求項１０】
前記絶縁本体には、複数の定位孔が形成される一対の突出部が設けられることを特徴とする、請求項９に記載の電気コネクタ。
【考案の詳細な説明】
【技術分野】
【０００１】
本考案は電気コネクタに関し、回路基板に電気接続され、変位を調整するために用いる電気コネクタに関する。
【背景技術】
【０００２】
電子工業における電気コネクタは、通常、複数の剛体の導電端子を含む。これらの導電端子によって、回路基板に電気接続される。変位するために、該電気コネクタは、回路基板に移動されなければならない。電気コネクタの剛体の導電端子は、通常、半田付けされることによって、或いは押圧されることによって、回路基板に取り付けられる。
【０００３】
ところで、該電気コネクタが回路基板に取り付けられるとすぐに、しっかりと固着される。電気コネクタを変位させるために、力が導電端子と回路基板を連接する部分に加えられる。導電端子が剛体であるから、加えられる力は、強くなければならない。これにより、導電端子と回路基板の間の電気接続を破損するだけでなく、導電端子を破損し易い。
【０００４】
従って、本考案は前記の欠点を克服するために一種の新たな電気コネクタを設計する。
【考案の開示】
【考案が解決しようとする課題】
【０００５】
本考案の目的は、こうした従来の問題点を解決した電気コネクタを提供することである。すなわち、従来の技術とは異なり、回路基板に取り付けられたときに、変位を調整し易い電気コネクタが得られるようにすることである。
【課題を解決するための手段】
【０００６】
本考案は回路基板に取り付ける電気コネクタに関し、該電気コネクタは、複数の端子槽が形成される絶縁本体と、絶縁本体の端子槽に収納される複数の導電端子と、を備える。前記各導電端子は、相手部と、相手部に連接される主体部と、主体部から延在するＳ字状の弾力部と、弾力部から突出する実装部と、を含む。
【考案の効果】
【０００７】
従来の技術に比べると、本考案は以下の長所がある。本考案の電気コネクタは、実装部を連接するＳ字状の弾力部が充分に弾性変形できることによって、小さい力が加えられたとしても、変位することを実現できる。導電端子の実装部と回路基板の間の電気接続を確保するとともに、導電端子が回路基板に固着されることを実現する。
【考案を実施するための最良の形態】
【０００８】
図１に示すように、電気コネクタ１は、回路基板（図示せず）に取り付けられ、絶縁本体１０と、複数の導電端子２０と、定位部３０と、を備える。
【０００９】
絶縁本体１０は、矩形の基部１１と、基部１１の対向する両側から突出する一対の突出部１２と、を有する。基部１１は、頂壁１１１と、底壁１１２と、複数の側壁１１３と、を具備する。絶縁本体１０には、それらの壁１１１、１１２、１１３から包囲される複数の端子槽１１４が形成される。頂壁１１１には、それぞれ、複数の端子槽１１４と対応する複数の第１貫通槽１１５が形成される。基部１１の底面には、端子槽１１４を貫通する開口１３が形成される。開口１３の対向する両側には、複数の係合槽１４が形成される。
【００１０】
各突出部１２は、第２定位孔１２２が形成される一対の凸出部片１２３と、該対の凸出部片１２３の間に形成される凹槽１２４と、を含む。凹槽１２４には、第１定位孔１２１が形成される。該第１定位孔１２１と第２定位孔１２２は、相手コネクタ（図示せず）に電気接続するために用いられる。
【００１１】
図２に示すように、各導電端子２０は、上向きに突出する接触部２５と、接触部２５の対向する側辺から水平方向に沿って対称に延在する一対の肩部２１と、板状の主体部２２と、下向きに突出する実装部２４と、肩部２１から下向きに延在して主体部２２に連接されるＳ字状の可撓部２６と、主体部２２から下向きに延在して主体部２２と実装部２４を連接するＳ字状の弾力部２３と、を備える。可撓部２６は、互いに連続する三つのＵ形の第３折り曲げ部２６１から形成される。主体部２２には、第３スロット２２１が形成される。主体部２４には、該第３スロット２２１によって、水平に延在し、可撓部２６の末端を連接する連接部２２２が設けられる。主体部２２の側辺には、複数のクリック部２２３が設けられる。Ｓ字状の弾力部２３は、主体部２２から延在して第１スロット２３１１が形成される第１折り曲げ部２３１と、実装部２４に連接されて第２スロット２３２１が形成される第２折り曲げ部２３２と、を有する。第１、第２折り曲げ部２３１，２３２は、互いに連接する。
【００１２】
図２及び図４に示すように、定位部３０は、板状部３０と、板状部３０の対向する両側から延在する複数の係合部３３と、を有する。板状部３０には、複数の第２貫通槽３２が形成される。係合部３３には、複数のクリック部３３１が設けられる。
【００１３】
図１乃至図４に示すように、該電気コネクタ１を取り付ける時、先ず、導電端子２０が絶縁本体１０の端子槽１１４に挿入される。肩部２１と可撓部２６と主体部２２は、対応する端子槽１１４に収納される。中でも、肩部２１は、絶縁本体１０の頂壁１１１に接触する。クリック部２２３は、端子槽１４の内表面に接触する。接触部２５は、第１貫通槽１１５から外向きに突出する。導電端子２０の弾力部２３は、絶縁本体１の開口１４に収納される。定位部３０の板状部３１は、絶縁本体１０の開口１４に嵌め込まれる。定位部３０の係合部３３は、絶縁本体１０の係合槽１４に係合され、定位部３０のクリック部３３１が、係合槽１４の内側面に接触する。導電端子２０は、弾力部２３が定位部３０の上に位置し、実装部２４が定位部３０の第２貫通槽３２を貫通して下向きに突出する。各実装部２４と対応する第２貫通槽３２の間には、所定の隙間を含む。接触部２５と実装部２４は、頂壁１１１に対して直角に延在する。図１において、挿入される導電端子２０は、横方向に沿って互いに交差する。これにより、導電端子２０が占めるスペースを減少させる。
【００１４】
小さい力を一体に電気コネクタ１に加えたときに、該電気コネクタ１は、導電端子２０の弾力部２３が充分に弾性変形することによって、変位することを実現できる。この過程で、加えられる力がほとんど弾力部２３に伝わるために、導電端子２０と回路基板を連接する部分に伝わる力は、十分に小さい。これにより、導電端子２０と回路基板の間の電気接続を破損しにくいとともに、導電端子２０を破損しにくい。これにより、導電端子２０と回路基板の間の電気接続を確保できる。又、導電端子２０は、弾力部２３によって、回路基板に固着される。
【００１５】
本考案の多数の特徴及び長所など、その構造及び機能を前述の記載により共に説明してきた。また、前記の記載や、本考案に基づきなし得る細部の修正或は変更など、いずれも本考案の請求範囲に属するものである。
【産業上の利用可能性】
【００１６】
本考案は電気コネクタに関し、特に、回路基板に取り付けられたときに、変位することを容易に実現できる電気コネクタに関する。
【図面の簡単な説明】
【００１７】
【図１】本考案の電気コネクタの組合せ視図である。
【図２】本考案の電気コネクタの他の組合せ視図である。
【図３】本考案の導電端子の斜視図である。
【図４】本考案の電気コネクタの図１のＩＶ−ＩＶの方向に沿った断面図である。
【符号の説明】
【００１８】
１  電気コネクタ
１０  絶縁本体
１１  基部
１２  突出部
１３  開口
１４  係合槽
２０  導電端子
２１  肩部
２２  主体部
２３  弾力部
２４  実装部
２５  接触部
２６  可撓部
３０  定位部
３１  板状部
３２  第２貫通槽
３３  係合部
１１１  頂壁
１１２  底壁
１１３  側面
１１４  端子槽
１１５  第１貫通槽
１２１  第１定位孔
１２２  第２定位孔
１２３  凸状部片
１２４  凹槽
２２１  第３スロット
２２２  連接部
２２３  クリック部
２３１  第１折り曲げ部
２３２  第２折り曲げ部
２６１  第３折り曲げ部
３３１  クリック部
２３１１  第１スロット
２３２１  第２スロット
【図１】
0003122168.tif 000003
【図２】
0003122168.tif 000004
【図３】
0003122168.tif 000005
【図４】
0003122168.tif 000006